【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
基地局によって実施されるブロードキャストチャネルをスクランブルするための方法であって、前記方法が、
同期信号（ＳＳ）バーストセットの各ＳＳブロックグループ中のＳＳブロックの数を決定すること、ここにおいて、各ＳＳブロックは、物理ブロードキャストチャネル（ＰＢＣＨ）と多重化された１次同期信号（ＰＳＳ）および２次同期信号（ＳＳＳ）を備え、ここにおいて、前記ＰＢＣＨは復調基準信号（ＤＭＲＳ）を備える、と、
各ＳＳブロック中の前記ＰＢＣＨに関連するビットの数を決定することと、
ＳＳブロックの前記数とビットの前記数とに基づいてシーケンスを生成することと、
前記ＳＳブロックグループ中のＳＳブロックの前記数に基づいて前記シーケンスをサブシーケンスに区分することと、
を備え、前記方法が
前記ＳＳブロックグループ内の異なるＳＳブロックの前記ＰＢＣＨに関連する前記ビットのためのスクランブリングコードとして前記シーケンスの各サブシーケンスを適用することと、
前記サブシーケンスのうちの１つを用いてスクランブルされた少なくとも１つのＳＳブロックを送信すること、ここにおいて、前記少なくとも１つのＳＳブロックの前記ＤＭＲＳは、前記少なくとも１つのＳＳブロックのＳＳブロックインデックスのある数の最下位ビットを備える、と、
を特徴とする、方法。
【請求項２】
前記シーケンスが、基地局の物理セル識別情報（ＩＤ）に基づいて生成される擬似雑音（ＰＮ）シーケンスである、請求項１に記載の方法。
【請求項３】
前記ＰＮシーケンスは、前記ＰＮシーケンスの長さがＳＳブロックの前記数とコード化ＰＢＣＨビットの数との積になるように生成される、請求項２に記載の方法。
【請求項４】
前記シーケンスが、基地局の物理セル識別情報（ＩＤ）とシステムフレーム番号（ＳＦＮ）ビットの部分とに基づいて生成される、請求項１に記載の方法。
【請求項５】
前記ＰＢＣＨに関連する前記ビットが、ＳＳブロック中でスクランブルされるべき前記ＰＢＣＨのペイロードのビットを備え、前記シーケンスは、前記シーケンスの長さがＳＳブロックの前記数とスクランブルされるべきＰＢＣＨビットの前記数との積になるように生成される、請求項１に記載の方法。
【請求項６】
特定のＳＳブロックに適用される特定のサブシーケンスが、前記ＳＳブロックグループ内の前記特定のＳＳブロックに固有である、請求項１に記載の方法。
【請求項７】
特定のＳＳブロックに適用される特定のサブシーケンスが、ＳＳバーストセットの別のＳＳブロックグループ中の対応するＳＳブロックに適用される同じサブシーケンスである、請求項１に記載の方法。
【請求項８】
前記ＳＳブロックインデックスの残りのビットが、前記少なくとも１つのＳＳブロックのＰＢＣＨのペイロード中に含まれる、請求項１に記載の方法。
【請求項９】
前記シーケンスの各サブシーケンスが、前記ＤＭＲＳ信号中に含まれる前記ＳＳブロックインデックスの前記数の最下位ビットのうちの異なるものに対応する、請求項１に記載の方法。
【請求項１０】
前記ＳＳブロックインデックスの最下位ビットの前記数が、前記２つの最下位ビットまたは前記３つの最下位ビットを備える、請求項１に記載の方法。
【請求項１１】
ユーザ機器によって実施されるワイヤレス通信のための方法であって、前記方法が、
同期信号（ＳＳ）ブロックセットの少なくとも1つのスクランブルされたＳＳブロックを受信すること、前記少なくとも１つのスクランブルされたＳＳブロックは、物理ブロードキャストチャネル（ＰＢＣＨ）と多重化された１次同期信号（ＰＳＳ）および２次同期信号（ＳＳＳ）を備え、前記ＰＢＣＨは復調基準信号（ＤＭＲＳ）を備え、ここにおいて、前記ＤＭＲＳは、前記少なくとも１つのスクランブルされたＳＳブロックのＳＳブロックインデックスのある数の最下位ビットを備える、と、
前記ＤＭＲＳから前記少なくとも1つのスクランブルされたＳＳブロックの前記インデックスの部分を識別することと、
前記インデックスの前記部分に基づいて、前記少なくとも1つのスクランブルされたＳＳブロックをスクランブルするために使用されるシーケンスを決定することと、
前記シーケンスに基づいて前記少なくとも1つのスクランブルされたＳＳブロックの前記ＰＢＣＨを復号することと
を特徴とする、方法。
【請求項１２】
ＳＳブロックグループ内の異なるＳＳブロックの前記ＰＢＣＨを復号するための異なるシーケンスを決定することをさらに備える、請求項１１に記載の方法。
【請求項１３】
異なるＳＳブロックグループ内の対応するＳＳブロックの前記ＰＢＣＨを復号するための前記シーケンスを決定することをさらに備える、請求項１１に記載の方法。
【請求項１４】
ブロードキャストチャネルをスクランブルするための基地局であって、前記基地局が、
同期信号（ＳＳ）バーストセットの各ＳＳブロックグループ中のＳＳブロックの数を決定するための手段、ここにおいて、各ＳＳブロックは、物理ブロードキャストチャネル（ＰＢＣＨ）と多重化された１次同期信号（ＰＳＳ）および２次同期信号（ＳＳＳ）を備え、ここにおいて、前記ＰＢＣＨは復調基準信号（ＤＭＲＳ）を備える、と、
各ＳＳブロック中の前記ＰＢＣＨに関連するビットの数を決定するための手段と、
ＳＳブロックの前記数とビットの前記数とに基づいてシーケンスを生成するための手段と、
前記ＳＳブロックグループ中のＳＳブロックの前記数に基づいて前記シーケンスをサブシーケンスに区分するための手段と、
を備え、
ＳＳブロックグループ内の異なるＳＳブロックの前記ＰＢＣＨに関連する前記ビットのためのスクランブリングコードとして前記シーケンスの各サブシーケンスを適用するための手段と、
前記サブシーケンスのうちの１つを用いてスクランブルされた少なくとも１つのＳＳブロックを送信するための手段、ここにおいて、前記少なくとも１つのＳＳブロックの前記ＤＭＲＳは、前記少なくとも１つのＳＳブロックのＳＳブロックインデックスのある数の最下位ビットを備える、と
を特徴とする、基地局。
【請求項１５】
ワイヤレス通信のためのユーザ機器であって、前記ユーザ機器が、
同期信号（ＳＳ）ブロックセットの少なくとも1つのスクランブルされたＳＳブロックを受信するための手段、前記少なくとも１つのスクランブルされたＳＳブロックは、物理ブロードキャストチャネル（ＰＢＣＨ）と多重化された１次同期信号（ＰＳＳ）および２次同期信号（ＳＳＳ）を備え、前記ＰＢＣＨは復調基準信号（ＤＭＲＳ）を備え、ここにおいて、前記ＤＭＲＳは、前記少なくとも１つのスクランブルされたＳＳブロックのＳＳブロックインデックスのある数の最下位ビットを備える、と、
前記ＤＭＲＳから前記少なくとも１つのスクランブルされたＳＳブロックの前記インデックスの部分を識別するための手段と、
前記インデックスの前記部分に基づいて、前記少なくとも１つのスクランブルされたＳＳブロックをスクランブルするために使用されるシーケンスを決定するための手段と、
前記シーケンスに基づいて前記少なくとも１つのスクランブルされたＳＳブロックの前記ＰＢＣＨを復号するための手段と
を特徴とする、ユーザ機器。
【手続補正２】
【補正対象書類名】明細書
【補正対象項目名】００８０
【補正方法】変更
【補正の内容】
【００８０】
[0089]本開示の以上の説明は、当業者が本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
ブロードキャストチャネルをスクランブルするための方法であって、前記方法が、
ＰＢＣＨをスクランブルする際に使用するためのシーケンスを生成することと、
ＳＳブロックグループ中のＳＳブロックの数に基づいて前記シーケンスをサブシーケンスに区分することと、
ＳＳブロックグループ内の異なるＳＳブロックの前記ＰＢＣＨに関連する前記ビットのためのスクランブリングコードとして前記シーケンスの各サブシーケンスを適用することと、
前記サブシーケンスのうちの１つを用いてスクランブルされた少なくとも１つのＳＳブロックを送信することと
を備える、方法。
［Ｃ２］
前記シーケンスが、基地局の物理セル識別情報（ＩＤ）に基づいて生成される擬似雑音（ＰＮ）シーケンスである、Ｃ１に記載の方法。
［Ｃ３］
前記ＰＮシーケンスは、前記ＰＮシーケンスの長さがＳＳブロックの前記数とコード化ＰＢＣＨビットの数との積になるように生成される、Ｃ２に記載の方法。
［Ｃ４］
前記シーケンスを生成することが、
同期信号（ＳＳ）バーストセットの各ＳＳブロックグループ中のＳＳブロックの数を決定することと、
各ＳＳブロック中の前記ＰＢＣＨに関連するビットの数を決定することと、
ＳＳブロックの前記数とビットの前記数とに基づいて前記シーケンスを生成することとを備える、Ｃ１に記載の方法。
［Ｃ５］
前記シーケンスが、基地局の物理セル識別情報（ＩＤ）とシステムフレーム番号（ＳＦＮ）ビットの部分とに基づいて生成される、Ｃ４に記載の方法。
［Ｃ６］
前記ＰＢＣＨに関連する前記ビットが、ＳＳブロック中でスクランブルされるべき前記ＰＢＣＨのペイロードのビットを備える、Ｃ４に記載の方法。
［Ｃ７］
前記シーケンスは、前記シーケンスの長さがＳＳブロックの前記数とスクランブルされるべきＰＢＣＨビットの前記数との積になるように生成される、Ｃ６に記載の方法。
［Ｃ８］
特定のＳＳブロックに適用される特定のサブシーケンスが、前記ＳＳブロックグループ内の前記特定のＳＳブロックに固有である、Ｃ１に記載の方法。
［Ｃ９］
特定のＳＳブロックに適用される特定のサブシーケンスが、ＳＳバーストセットの別のＳＳブロックグループ中の対応するＳＳブロックに適用される同じサブシーケンスである、Ｃ１に記載の方法。
［Ｃ１０］
前記少なくとも１つのＳＳブロックのＳＳブロックインデックスのある数の最下位ビットが、前記少なくとも１つのＳＳブロックの復調基準信号（ＤＭＲＳ）信号中に含まれる、Ｃ１に記載の方法。
［Ｃ１１］
前記ＳＳブロックインデックスの残りのビットが、前記少なくとも１つのＳＳブロックのＰＢＣＨのペイロード中に含まれる、Ｃ１０に記載の方法。
［Ｃ１２］
前記シーケンスの各サブシーケンスが、前記ＤＭＲＳ信号中に含まれる前記ＳＳブロックインデックスの前記数の最下位ビットのうちの異なるものに対応する、Ｃ１０に記載の方法。
［Ｃ１３］
前記ＳＳブロックインデックスの最下位ビットの前記数が、前記２つの最下位ビットまたは前記３つの最下位ビットを備える、Ｃ１０に記載の方法。
［Ｃ１４］
ブロードキャストチャネルをスクランブルするための装置であって、
プロセッサと、
前記プロセッサと電子通信しているメモリと、
前記メモリに記憶された命令とを備え、前記命令が、前記プロセッサによって実行されたとき、前記装置に、
ＰＢＣＨをスクランブルする際に使用するためのシーケンスを生成することと、
ＳＳブロックグループ中のＳＳブロックの数に基づいて前記シーケンスをサブシーケンスに区分することと、
ＳＳブロックグループ内の異なるＳＳブロックの前記ＰＢＣＨに関連する前記ビットのためのスクランブリングコードとして前記シーケンスの各サブシーケンスを適用することと、
前記サブシーケンスのうちの１つを用いてスクランブルされた少なくとも１つのＳＳブロックを送信することと
を行わせるように動作可能である、装置。
［Ｃ１５］
前記シーケンスが、基地局の物理セル識別情報（ＩＤ）に基づいて生成される擬似雑音（ＰＮ）シーケンスである、Ｃ１４に記載の装置。
［Ｃ１６］
前記ＰＮシーケンスは、前記ＰＮシーケンスの長さがＳＳブロックの前記数とコード化ＰＢＣＨビットの数との積になるように生成される、Ｃ１４に記載の装置。
［Ｃ１７］
前記シーケンスを生成することが、
同期信号（ＳＳ）バーストセットの各ＳＳブロックグループ中のＳＳブロックの数を決定することと、
各ＳＳブロック中の前記ＰＢＣＨに関連するビットの数を決定することと、
ＳＳブロックの前記数とビットの前記数とに基づいて前記シーケンスを生成することとを備える、Ｃ１４に記載の装置。
［Ｃ１８］
前記シーケンスが、基地局の物理セル識別情報（ＩＤ）とシステムフレーム番号（ＳＦＮ）ビットの部分とに基づいて生成される、Ｃ１７に記載の装置。
［Ｃ１９］
前記ＰＢＣＨに関連する前記ビットが、ＳＳブロック中でスクランブルされるべき前記ＰＢＣＨのペイロードのビットを備える、Ｃ１８に記載の装置。
［Ｃ２０］
前記シーケンスは、前記シーケンスの長さがＳＳブロックの前記数とスクランブルされるべきＰＢＣＨビットの前記数との積になるように生成される、Ｃ１９に記載の装置。
［Ｃ２１］
特定のＳＳブロックに適用される特定のサブシーケンスが、前記ＳＳブロックグループ内の前記特定のＳＳブロックに固有である、Ｃ１４に記載の装置。
［Ｃ２２］
特定のＳＳブロックに適用される特定のサブシーケンスが、ＳＳバーストセットの別のＳＳブロックグループ中の対応するＳＳブロックに適用される同じサブシーケンスである、Ｃ１４に記載の装置。
［Ｃ２３］
前記少なくとも１つのＳＳブロックのＳＳブロックインデックスのある数の最下位ビットが、前記少なくとも１つのＳＳブロックの復調基準信号（ＤＭＲＳ）信号中に含まれる、Ｃ１４に記載の装置。
［Ｃ２４］
前記ＳＳブロックインデックスの残りのビットが、前記少なくとも１つのＳＳブロックのＰＢＣＨのペイロード中に含まれる、Ｃ２３に記載の装置。
［Ｃ２５］
前記シーケンスの各サブシーケンスが、前記ＤＭＲＳ信号中に含まれる前記ＳＳブロックインデックスの前記数の最下位ビットのうちの異なるものに対応する、Ｃ２３に記載の装置。
［Ｃ２６］
前記ＳＳブロックインデックスの最下位ビットの前記数が、前記２つの最下位ビットまたは前記３つの最下位ビットを備える、Ｃ２３に記載の装置。
［Ｃ２７］
ワイヤレス通信のための方法であって、前記方法が、
同期信号（ＳＳ）ブロックに関連する復調基準信号（ＤＭＲＳ）を受信することと、  前記ＤＭＲＳから前記ＳＳブロックのインデックスの部分を識別することと、
前記インデックスの前記部分に基づいて、前記ＳＳブロックをスクランブルするために使用されるシーケンスを決定することと、
前記シーケンスに基づいて前記ＳＳブロックの物理ブロードキャストチャネル（ＰＢＣＨ）を復号することと
を備える、方法。
［Ｃ２８］
前記インデックスの前記部分が、前記インデックスのある数の最下位ビットを備える、Ｃ２７に記載の方法。
［Ｃ２９］
前記ＰＢＣＨを前記復号することが、ブラインド復号なしに実施される、Ｃ２７に記載の方法。
［Ｃ３０］
前記シーケンスが、擬似雑音（ＰＮ）シーケンスのサブシーケンスを備える、Ｃ２７に記載の方法。
［Ｃ３１］
ＳＳブロックグループ内の異なるＳＳブロックの前記ＰＢＣＨを復号するための異なるシーケンスを決定することをさらに備える、Ｃ２７に記載の方法。
［Ｃ３２］
異なるＳＳブロックグループ内の対応するＳＳブロックの前記ＰＢＣＨを復号するための前記シーケンスを決定することをさらに備える、Ｃ２７に記載の方法。
［Ｃ３３］
ワイヤレス通信のための装置であって、前記装置が、
プロセッサと、
前記プロセッサと電子通信しているメモリと、
前記メモリに記憶された命令とを備え、前記命令が、前記プロセッサによって実行されたとき、前記装置に、
同期信号（ＳＳ）ブロックに関連する復調基準信号（ＤＭＲＳ）を受信することと、    前記ＤＭＲＳから前記ＳＳブロックのインデックスの部分を識別することと、
前記インデックスの前記部分に基づいて、前記ＳＳブロックをスクランブルするために使用されるシーケンスを決定することと、
前記シーケンスに基づいて前記ＳＳブロックの物理ブロードキャストチャネル（ＰＢＣＨ）を復号することと
を行わせるように動作可能である、装置。
［Ｃ３４］
前記インデックスの前記部分が、前記インデックスのある数の最下位ビットを備える、Ｃ３３に記載の装置。
［Ｃ３５］
前記ＰＢＣＨを前記復号することが、ブラインド復号なしに実施される、Ｃ３３に記載の装置。
［Ｃ３６］
前記シーケンスが、擬似雑音（ＰＮ）シーケンスのサブシーケンスを備える、Ｃ３３に記載の装置。
［Ｃ３７］
前記命令が、前記装置に、ＳＳブロックグループ内の異なるＳＳブロックの前記ＰＢＣＨを復号するための異なるシーケンスを決定させるようにさらに動作可能である、Ｃ３３に記載の装置。
［Ｃ３８］
前記命令が、前記装置に、異なるＳＳブロックグループ内の対応するＳＳブロックの前記ＰＢＣＨを復号するための前記シーケンスを決定させるようにさらに動作可能である、Ｃ３３に記載の装置。
［Ｃ３９］
ブロードキャストチャネルをスクランブルするための装置であって、前記装置が、
ＰＢＣＨをスクランブルする際に使用するためのシーケンスを生成するための手段と、  ＳＳブロックグループ中のＳＳブロックの数に基づいて前記シーケンスをサブシーケンスに区分するための手段と、
ＳＳブロックグループ内の異なるＳＳブロックの前記ＰＢＣＨに関連する前記ビットのためのスクランブリングコードとして前記シーケンスの各サブシーケンスを適用するための手段と、
前記サブシーケンスのうちの１つを用いてスクランブルされた少なくとも１つのＳＳブロックを送信するための手段と
を備える、装置。
［Ｃ４０］
前記シーケンスが、基地局の物理セル識別情報（ＩＤ）に基づいて生成される擬似雑音（ＰＮ）シーケンスである、Ｃ３９に記載の装置。
［Ｃ４１］
前記ＰＮシーケンスは、前記ＰＮシーケンスの長さがＳＳブロックの前記数とコード化ＰＢＣＨビットの数との積になるように生成される、Ｃ４０に記載の装置。
［Ｃ４２］
前記シーケンスを生成するための前記手段が、
同期信号（ＳＳ）バーストセットの各ＳＳブロックグループ中のＳＳブロックの数を決定するための手段と、
各ＳＳブロック中の前記ＰＢＣＨに関連するビットの数を決定するための手段と、
ＳＳブロックの前記数とビットの前記数とに基づいて前記シーケンスを生成するための手段と
をさらに備える、Ｃ３９に記載の装置。
［Ｃ４３］
前記シーケンスが、基地局の物理セル識別情報（ＩＤ）とシステムフレーム番号（ＳＦＮ）ビットの部分とに基づいて生成される、Ｃ４２に記載の装置。
［Ｃ４４］
前記ＰＢＣＨに関連する前記ビットが、ＳＳブロック中でスクランブルされるべき前記ＰＢＣＨのペイロードのビットを備える、Ｃ４２に記載の装置。
［Ｃ４５］
前記シーケンスは、前記シーケンスの長さがＳＳブロックの前記数とスクランブルされるべきＰＢＣＨビットの前記数との積になるように生成される、Ｃ４４に記載の装置。
［Ｃ４６］
特定のＳＳブロックに適用される特定のサブシーケンスが、前記ＳＳブロックグループ内の前記特定のＳＳブロックに固有である、Ｃ３９に記載の装置。
［Ｃ４７］
特定のＳＳブロックに適用される特定のサブシーケンスが、ＳＳバーストセットの別のＳＳブロックグループ中の対応するＳＳブロックに適用される同じサブシーケンスである、Ｃ３９に記載の装置。
［Ｃ４８］
前記少なくとも１つのＳＳブロックのＳＳブロックインデックスのある数の最下位ビットが、前記少なくとも１つのＳＳブロックの復調基準信号（ＤＭＲＳ）信号中に含まれる、Ｃ３９に記載の装置。
［Ｃ４９］
前記ＳＳブロックインデックスの残りのビットが、前記少なくとも１つのＳＳブロックのＰＢＣＨのペイロード中に含まれる、Ｃ４８に記載の装置。
［Ｃ５０］
前記シーケンスの各サブシーケンスが、前記ＤＭＲＳ信号中に含まれる前記ＳＳブロックインデックスの前記数の最下位ビットのうちの異なるものに対応する、Ｃ４８に記載の装置。
［Ｃ５１］
前記ＳＳブロックインデックスの最下位ビットの前記数が、前記２つの最下位ビットまたは前記３つの最下位ビットを備える、Ｃ４８に記載の装置。
［Ｃ５２］
ワイヤレス通信のための装置であって、前記装置が、
同期信号（ＳＳ）ブロックに関連する復調基準信号（ＤＭＲＳ）を受信するための手段と、
前記ＤＭＲＳから前記ＳＳブロックのインデックスの部分を識別するための手段と、  前記インデックスの前記部分に基づいて、前記ＳＳブロックをスクランブルするために使用されるシーケンスを決定するための手段と、
前記シーケンスに基づいて前記ＳＳブロックの物理ブロードキャストチャネル（ＰＢＣＨ）を復号するための手段と
を備える、装置。
［Ｃ５３］
前記インデックスの前記部分が、前記インデックスのある数の最下位ビットを備える、Ｃ５２に記載の装置。
［Ｃ５４］
前記ＰＢＣＨを前記復号することが、ブラインド復号なしに実施される、Ｃ５２に記載の装置。
［Ｃ５５］
前記シーケンスが、擬似雑音（ＰＮ）シーケンスのサブシーケンスを備える、Ｃ５２に記載の装置。
［Ｃ５６］
ＳＳブロックグループ内の異なるＳＳブロックの前記ＰＢＣＨを復号するための異なるシーケンスを決定するための手段をさらに備える、Ｃ５２に記載の装置。
［Ｃ５７］
異なるＳＳブロックグループ内の対応するＳＳブロックの前記ＰＢＣＨを復号するための前記シーケンスを決定するための手段をさらに備える、Ｃ５２に記載の装置。